(57)【特許請求の範囲】
【請求項１】
吊りボルトに懸吊される左右一対の抱持片と、該抱持片の下部先端が内側に屈曲された係止部とを備えた吊り金具に支持される直管形ランプ用照明装置において、下面が開口した樋状を成し、該開口部の側縁に沿って内側に屈曲された屈曲片を有するライティングケースと、ライティングケースの開口部に配置される反射板と、反射板の下面から上面に貫通した回転ボルトに固定し反射板の上面で回転自在に装着され、ライティングケースの屈曲片上面に係止せしめる係止部を長手両端部に有するクリップ体と、反射板の上面に支持されたクリップ体の回転時の高さを弾性体の付勢力にて調整する高さ調整具とを備え、該高さ調整具は、ライティングケースの開口部に反射板を装着するときにクリップ体を押し上げて回転自在に支持し、クリップ体の係止部がライティングケースの屈曲片の上方まで回転したときにクリップ体を押し下げて係止部が屈曲片に係止するように構成したことを特徴とする直管形ランプ用照明装置。
【請求項２】
前記高さ調整具は、前記クリップ体の下面に配置され、前記クリップ体を押し上げた位置で回転自在に支持する突起を設けた支持板と、前記クリップ体の上部に設けられ、前記クリップ体を常時下向きに押圧付勢する圧着板と、前記クリップ体に形成され、支持板の突起を嵌入せしめる嵌入穴とを備え、支持板の突起上で前記クリップ体が回転し、前記係止部が前記屈曲片の上方まで回転したときに、前記圧着板の付勢力にて前記クリップ体の嵌入穴に支持板の突起が嵌入するように構成された請求項１記載の直管形ランプ用照明装置。
【請求項３】
前記吊り金具の前記係止部の一部に、前記ライティングケースの内側に向けて屈曲され前記屈曲片を保持する保持爪部を設け、前記クリップ体が前記屈曲片上まで回転したときの前記係止部が保持爪部に干渉されずライティングケースの全ての箇所に反射板を取り付けられるように構成した請求項２記載の直管形ランプ用照明装置。
【請求項４】
前記回転ボルトの頭部に前記クリップ体の方向を示すスリ割りが形成され、前記反射板の下面で前記回転ボルトの頭部を囲む位置に、前記クリップ体の前記係止部の係止状態を示す表示部が設けられた請求項１記載の直管形ランプ用照明装置。
【請求項５】
前記反射板は、前記反射板の長手両端部に設けられる直管形ランプ用のソケットと、該ソケット及び隣接する直管形ランプ用のソケットに電源を供給するコネクタと、これらソケット及びコネクタを、間隙を空けて上下に装着するマウントベースと、が装着され、該マウントベースを前記高さ調整具の前記支持板として使用する請求項２記載の直管形ランプ用照明装置。
【発明の詳細な説明】
【技術分野】
【０００１】
本発明は、直管形ランプを合理的に連設することができる直管形ランプ用照明装置に関するものである。
【背景技術】
【０００２】
特許文献１に、直管形照明器具の下面に照明カバー等のオプションを装着する取付構造が記載されている。この取付構造は、直管形の照明器具の端部に落下防止金具が取付けられ、照明カバー等のオプションは、この落下防止金具を介して直管形の照明器具に取付けられるものである。
【０００３】
一方、当出願人は、特許文献２に記載のごとく、複数の蛍光灯器具を連設する際に合理的な装着を可能にした連用蛍光灯システムを提案している。この連用蛍光灯システムは、吊り金具で懸吊するライティングケースに、直管形ランプを接続せしめるライティングユニットを装着するものである。
【０００４】
特許文献２に記載の連用蛍光灯システムは、左右一対の抱持片と、各抱持片の下端部を照明器具の内側に向けて屈曲形成した係止部とで構成された吊り金具を使用して懸吊するシステムであり、特許文献３に記載の連用蛍光灯システムは、吊り金具を連結する連結用軌条を配線用ダクトの上面に設け、この連結用軌条に、吊り金具の下端に設けた連結金具をスライド係止することで、配線用ダクトを懸吊するように構成したシステムである。
【先行技術文献】
【特許文献】
【０００５】
【特許文献１】実開平６‐３１０１５号公報
【特許文献２】特許第２６２８２３２号公報
【特許文献３】特公平８‐２１２５１号公報
【発明の概要】
【発明が解決しようとする課題】
【０００６】
特許文献１に記載の照明器具は、天井支持バーに装着する構造であり、個々の照明器具を天井支持バーに装着した後に、照明器具の端部に落下防止金具が取付けられ、この落下防止金具を介して照明カバー等のオプションが取付けられるものである。そのため、照明器具を多数連設する場合、照明器具の装着作業や落下防止金具及び照明カバー等のオプションの装着に多くの手間を要するものであった。
【０００７】
一方、特許文献２に記載の連用蛍光灯システムは、左右一対の抱持片と、各抱持片の下端部を照明器具の内側に向けて屈曲形成した係止部とで構成された吊り金具で配線用ダクトを懸吊し、この配線用ダクトに照明器具を装着するシステムである。このシステムにより、照明器具を多数連設する場合に極めて効率良く装着することが可能になった。
【０００８】
ところが、この吊り金具で支持した部分は、配線用ダクトの開口部側に吊り金具の抱持片や係止部が重なった状態になっている。そのため、配線用ダクトの開口部分に反射板等の部材を装着するには、この吊り金具の係止部の厚みや位置を考慮して装着する必要があった。
【０００９】
そこで、特許文献３に記載の連用蛍光灯システムは、吊り金具の係止部の厚みや位置を考慮せずに装着可能なシステムとなっている。このシステムでは、吊り金具を連結する連結用軌条を配線用ダクトの上面に設け、この連結用軌条に、吊り金具の下端に設けた連結金具を係止して配線用ダクトを懸吊する構成を採用している。この結果、
吊り金具の係止部の厚みや位置等を全く考慮する必要がなくなり、配線用ダクトの開口部全域に任意の部材を着脱することが可能になった。ところが、連結用軌条を上面に設けた特殊な構造の配線用ダクトや、この配線用ダクトに適応する特殊な構造の連結金具を使用するので、製造コストが嵩んでしまう不都合があった。
【００１０】
そこで、本発明は、左右一対の抱持片と係止部とを備えた吊り金具を使用して直管形照明器具を連設する場合において、この吊り金具が妨げにならずに照明カバー等を合理的に連続装着することができる直管形ランプ用照明装置の提供を目的とするものである。
【課題を解決するための手段】
【００１１】
上述の目的を達成すべく本発明における第１の手段は、吊りボルトＱに懸吊される左右一対の抱持片Ｐ１と、該抱持片Ｐ１の下部先端が内側に屈曲された係止部Ｐ２とを備えた吊り金具Ｐに支持される直管形ランプ用照明装置において、下面が開口した樋状を成し、該開口部の側縁に沿って内側に屈曲された屈曲片１１を有するライティングケース１０と、ライティングケース１０の開口部に配置される反射板２０と、反射板２０の下面から上面に貫通した回転ボルト３１に固定し反射板２０の上面で回転自在に装着され、ライティングケース１０の屈曲片１１上面に係止せしめる係止部３２を長手両端部に有するクリップ体３０と、反射板２０の上面に支持されたクリップ体３０の回転時の高さを弾性体４１の付勢力にて調整する高さ調整具４０とを備え、該高さ調整具４０は、ライティングケース１０の開口部に反射板２０を装着するときにクリップ体３０を押し上げて回転自在に支持し、クリップ体３０の係止部３２がライティングケース１０の屈曲片１１の上方まで回転したときにクリップ体３０を押し下げて係止部３２が屈曲片１１に係止するように構成したことにある。
【００１２】
第２の手段は、前記高さ調整具４０は、前記クリップ体３０の下面に配置され、前記クリップ体３０を押し上げた位置で回転自在に支持する突起４３を設けた支持板４２と、前記クリップ体３０の上部に設けられ、前記クリップ体３０を常時下向きに押圧付勢する圧着板４１と、前記クリップ体３０に形成され、支持板４２の突起４３を嵌入せしめる嵌入穴３３とを備え、支持板４２の突起４３上で前記クリップ体３０が回転し、前記係止部３２が前記屈曲片１１の上方まで回転したときに、前記圧着板４１の付勢力にて前記クリップ体３０の嵌入穴３３に支持板４２の突起４３が嵌入するように構成されている。
【００１３】
第３の手段は、前記吊り金具Ｐの前記係止部Ｐ２の一部に、前記ライティングケース１０の内側に向けて屈曲され前記屈曲片１１を保持する保持爪部Ｐ３を設け、前記クリップ体３０が前記屈曲片１１上まで回転したときの前記係止部３２が保持爪部Ｐ３に干渉されずライティングケース１０の全ての箇所に反射板２０を取り付けられるように構成したものである。
【００１４】
第４の手段は、前記回転ボルト３１の頭部３１Ａに前記クリップ体３０の方向を示すスリ割り３１Ｂが形成され、前記反射板２０の下面で前記回転ボルト３１の頭部３１Ａを囲む位置に、前記クリップ体３０の前記係止部３２の係止状態を示す表示部２１が設けられている。
【００１５】
第５の手段において、前記反射板２０は、前記反射板２０の長手両端部に設けられる直管形ランプＲ用のソケット５０と、該ソケット５０及び隣接する直管形ランプＲ用のソケット５０に電源を供給するコネクタ６０と、これらソケット５０及びコネクタ６０を、間隙を空けて上下に装着するマウントベース７０と、が装着され、該マウントベース７０を前記高さ調整具４０の前記支持板４２として使用することにある。
【発明の効果】
【００１６】
本発明の請求項１のごとく、ライティングケース１０の開口部に反射板２０を装着するときにクリップ体３０を押し上げて回転自在に支持し、クリップ体３０の係止部３２がライティングケース１０の屈曲片１１の上方まで回転したときにクリップ体３０を押し下げて係止部３２が屈曲片１１に係止するように高さ調整具４０を構成したことにより、ライティングケース１０の屈曲片１１の下面に吊り金具Ｐの係止部Ｐ２が重合した状態で、係止部Ｐ２の下面に反射板２０を装着する場合でも、屈曲片１１に係止部３２を係止することができる。この結果、吊り金具Ｐを使用して直管形照明器具を連設する際に、この吊り金具Ｐが妨げにならずに済み、反射板２０等を合理的に連続装着することができるものである。
【００１７】
請求項２のように、支持板４２の突起４３上でクリップ体３０が回転し、係止部３２が屈曲片１１の上方まで回転したときに、圧着板４１の付勢力にてクリップ体３０の嵌入穴３３に支持板４２の突起４３が嵌入するように構成したことにより、支持板４２が屈曲片１１上に係止しているときは確実な係止状態を維持することができる。
【００１８】
請求項３では、吊り金具Ｐの係止部Ｐ２の一部に、ライティングケース１０の内側に向けて屈曲され屈曲片１１を保持する保持爪部Ｐ３を設け、クリップ体３０が屈曲片１１上まで回転したときの係止部３２が保持爪部Ｐ３に係止するように構成したことから、吊り金具Ｐの保持爪部Ｐ３とクリップ体３０の係止部３２とが相互に作用して、反射板２０を屈曲片１１に強固に固定することができる。
【００１９】
請求項４のごとく、回転ボルト３１の頭部３１Ａにクリップ体３０の方向を示すスリ割り３１Ｂが形成され、反射板２０の下面で回転ボルト３１の頭部３１Ａを囲む位置に、クリップ体３０の係止部３２の係止状態を示す表示部２１を設けたことで、反射板２０の下面から、クリップ体３０の位置や係止部３２の係止状態が目視で確認することができるものである。
【００２０】
請求項５のように、反射板２０は、反射板２０の長手両端部に設けられる直管形ランプＲ用のソケット５０と、該ソケット５０及び隣接する直管形ランプＲ用のソケット５０に電源を供給するコネクタ６０と、これらソケット５０及びコネクタ６０を、間隙を空けて上下に装着するマウントベース７０と、が装着され、該マウントベース７０を前記高さ調整具４０の前記支持板４２として使用することで、ライティングケース１０に対する反射板２０の固定作業と、この反射板２０に装着するソケット５０等の固定作業とが同時に行えるものになる。この結果、反射板２０を利用して他の部材を合理的に連続装着することができる。しかも、これらマウントベース７０を利用して従来の蛍光ランプはもちろん、各タイプの直管形ＬＥＤランプを連続装着することも可能になる。
【図面の簡単な説明】
【００２１】
【図１】本発明の使用状態の一実施例を示す分解斜視図である。
【図２】本発明の使用状態の一実施例を示す平面図である。
【図３】図２に示す矢視III-III線断面図である。
【図４】図２に示す矢視IV-IV線断面図である。
【図５】本発明のスリ割りと表示部とを示す反射板の要部底面図である。
【図６】本発明の屈曲片と係止部との係止状態を示す断面図である。
【図７】本発明の屈曲片と係止部との他の係止状態を示す断面図である。
【図８】本発明の屈曲片と係止部との係止状態を示す平面図である。
【図９】本発明の屈曲片と係止部との他の係止状態を示す平面図である。
【図１０】本発明の装着状態の一実施例を示す分解斜視図である。
【発明を実施するための形態】
【００２２】
本発明によると、吊り金具を使用して直管形照明器具を連設する場合において、この吊り金具が妨げにならずに照明カバー等を合理的に連続装着することができるなどといった当初の目的を達成した。
【実施例】
【００２３】
以下、本発明の実施例を説明する。本発明照明装置の基本構成は、ライティングケース１０、反射板２０、クリップ体３０、高さ調整具４０にて構成されている（図１参照）。
【００２４】
ライティングケース１０は、下面が開口した樋状を成し、該開口部の側縁に沿って内側に屈曲された屈曲片１１を有する部材である。そして、天井等に固定した吊りボルトＱで吊下げされ、下を向けたライティングケース１０の開口部に、反射板２０を装着する（図１参照）。すなわち、ライティングケース１０を長手方向に連設した後に、反射板２０を順次装着するものである（図１０参照）。
【００２５】
本発明で使用する吊り金具Ｐは、吊りボルトＱに懸吊される左右一対の抱持片Ｐ１と、該抱持片の下部先端が内側に屈曲された係止部Ｐ２とを備えた金具である（図１参照）。そして、この係止部Ｐ２にライティングケース１０の屈曲片１１が係止される。図示の吊り金具Ｐは、係止部Ｐ２に、屈曲片１１を保持する保持爪部Ｐ３を設けている。この保持爪部Ｐ３は係止部Ｐ２の長手端部に設けており、特に、係止部Ｐ２の相対する端部の斜めの位置で対向する端部に形成している（図１参照）。そして、ライティングケース１０の内側に向けて屈曲片１１を保持するように設けている（図７参照）。
【００２６】
吊り金具Ｐは、左右に分離するもので、各抱持片Ｐ１の側面を貫通するボルトＳで連結される（図１参照）。そして、各抱持片Ｐ１の上端部が重なった部分に吊りボルトＱを挿通し、懸吊ナットＱ１で係止する。該懸吊ナットＱ１は、一方の抱持片Ｐ１の上部側面に形成された略十字形状の挿入口Ｐ４から吊り金具Ｐの内部に挿入され、他方の抱持片Ｐ１の上端に形成された切欠部Ｐ５に吊りボルトＱを挿通し、各係止部Ｐ２の上端部が重なった部分を係止するものである。
【００２７】
このとき、挿入口Ｐ４を封止する封止体Ｐ６を設け、連結ボルトＳで係止部Ｐ２に固定している（図１参照）。吊り金具Ｐをこのように構成することで、連結作業が容易で、しかも地震等の揺れによっても落下を防止できるものである。
【００２８】
反射板２０は、ライティングケース１０の開口部に配置される部材である。この反射板２０には、ソケット５０、コネクタ６０、マウントベース７０が装着される（図１参照）。そして、反射板２０の下面に直管形ランプＲが設置されるものである（図３参照）。
【００２９】
クリップ体３０は、反射板２０の下面から上面に貫通した回転ボルト３１に固定される部材であり、反射板２０の上面で回転ボルト３１と共に回転自在に装着されている（図３参照）。回転ボルト３１は、反射板２０の下面から上面に貫通する角根ボルトを使用し、この角根部分でクリップ体３０を回転せしめるボルト部材である（図１参照）。また、クリップ体３０の長手両端部には、ライティングケース１０の屈曲片１１上面に係止せしめる係止部３２を設けている（図２参照）。図示のクリップ体３０は、回転ボルト３１を貫通せしめる皿状の基盤３４が形成され、該基盤３４の両端部に係止部３２を設けている（図３参照）。そして、この基盤３４に嵌入穴３３を形成し（図２参照）、後述する高さ調整具４０の突起４３の頂部で基盤３４が支持されると共に（図３、図４参照）、この基盤３４を回転させることによって嵌入穴３３に突起４３が嵌入するものになる（図６参照）。
【００３０】
高さ調整具４０は、クリップ体３０の回転時の高さを圧着板４１の付勢力にて調整しながら支持する部材である（図３参照）。この高さ調整具４０は、ライティングケース１０の開口部に反射板２０を装着するときに、クリップ体３０を屈曲片１１の位置より上に押し上げた状態で、突起４３が回転自在に支持する。一方、クリップ体３０の係止部３２がライティングケース１０の屈曲片１１の上方まで回転したときに、圧着板４１がクリップ体３０を押し下げて係止部３２が屈曲片１１に係止するように構成している（図６参照）。
【００３１】
図示の高さ調整具４０は、回転ボルト３１を貫通せしめる支持板４２と、該支持板４２上に突設した突起４３と、クリップ体３０の上方から該クリップ体３０を常時下向きに押圧付勢する圧着板４１とで構成している（図３参照）。
【００３２】
支持板４２は、クリップ体３０の下面に配置され、クリップ体３０を高い位置で回転自在に支持する突起４３を設けた部材である（図４参照）。そして、この突起４３が嵌入する嵌入穴３３をクリップ体３０に形成しておき（図２参照）、クリップ体３０が回転して、係止部３２が屈曲片１１の上方まで移動したときに、圧着板４１の付勢力にて嵌入穴３３に突起４３が嵌入するように構成している（図６参照）。
【００３３】
圧着板４１は、波座金を使用し、回転ボルト３１の上部にネジ止めした固定ナット４４と基盤３４との間に装着している（図６、図７参照）。そして、回転ボルト３１の角根部で基盤３４を回転させるときに、圧着板４１が基盤３４を常に下向きに押圧付勢しているものである。
【００３４】
すなわち、収納体１０の開口部に反射板２０を装着する際に、クリップ体３０の係止部３２を反射板２０の長手方向に沿わせた状態にする（図２参照）。このとき、クリップ体３０は、支持板４２の突起４３上で回転する状態になっている（図４参照）。そして、収納体１０の開口部に反射板２０を装着した後に、回転ボルト３１にてクリップ体３０を回転させて、係止部３２が屈曲片１１の上方まで回転移動する。このとき、クリップ体３０が圧着板４１の弾性力で下向きに押圧付勢され、嵌入穴３３に支持板４２の突起４３が嵌入し、係止部３２が屈曲片１１上に係止する状態になるものである（図６参照）。尚、図中、符号２３はゴム板等の弾性板であり、反射板２０の固定力を高める部材である。
【００３５】
吊り金具Ｐの係止部Ｐ２がライティングケース１０の屈曲片１１を係止している部分に反射板２０を装着すると、この係止部Ｐ２の厚み分だけ、反射板２０から屈曲片１１までの高さが高くなる（図７参照）。この場合は、粘着テープで貼り付けた弾性板を剥ぎ取ることで、突起４３に支持されたクリップ体３０は、屈曲片１１の上まで回転させることができる。そして、嵌入穴３３の位置まで回転すると、圧着板４１の付勢力にて係止部３２が高い位置で屈曲片１１上に係止することになる。したがって、高さ調整具４０は、吊り金具Ｐの係止部Ｐ２の有無に関わらず、常に安定した係止力が得られる。
【００３６】
このクリップ体３０は、屈曲片１１上まで回転した係止部３２が吊り金具Ｐの保持爪部Ｐ３に干渉した場合でも吊り金具Ｐが無い箇所と同様に反射板２０を装着できるようにしている（図８、図９参照）。
【００３７】
また、係止部Ｐ２上で係止部３２を回転した場合、保持爪部Ｐ３が妨げになって回転できなくなる場合もある（図８参照）。そこで、回転ボルト３１の頭部３１Ａにスリ割り３１Ｂを形成することで、係止部３２の係脱状態を一目で確認できるようにしている（図５参照）。このスリ割り３１Ｂは、回転ボルト３１の頭部３１Ａにクリップ体３０の方向を示すように形成したもので、スリ割り３１Ｂの向きを回転ボルト３１固定したクリップ体３０の係止部３２の向きに合わせることで、この回転ボルト３１を介して係止部３２の向きを確認することができる。したがって、吊り金具Ｐの位置で回転ボルト３１を回転させたときに、係止状態を示す位置に係止部３２を回転できない場合は、このスリ割り３１Ｂの向きを確認しながら反対向きに回すことで、係止状態の位置まで回転させることが可能になる。
【００３８】
一方、吊り金具Ｐが係止していない屈曲片１１上では、クリップ体３０をいずれの方向でも回転可能である。また、吊り金具Ｐが近くにある場合には、この係止部Ｐ２の保持爪部Ｐ３が回転の妨げになることがある（図９参照）。この場合も、係止部３２は、一方向にしか回転しないので、スリ割り３１Ｂの向きを確認しながらクリップ体３０を操作するものである。
【００３９】
更に、反射板２０の下面で回転ボルト３１の頭部３１Ａを囲む位置に、クリップ体３０の係止部３２の係止状態を示す柄、文字、図柄等が記載された表示部２１を設けることで、係止部３２による係止状態の確認も目視できるようになる（図５参照）。図示例では、スリ割り３１Ｂが屈曲片１１の方向に向いたときに、係止部３２の係止状態を示すロックキー２１Ａを表示し、スリ割り３１Ｂが収納体１０の長手方向を向いたときに係止部３２の解除状態を示すアンロックキー２１Ｂを表示している。
【００４０】
本発明で使用する反射板２０には、反射板２０の長手両端部に位置する直管形ランプＲ用のソケット５０と、該ソケット５０及び隣接する直管形ランプＲ用のソケット５０に電源を供給するコネクタ６０と、これらソケット５０及びコネクタ６０を装着するマウントベース７０と、が装着されている（図１０参照）。そして、このマウントベース７０のソケットベース７１を高さ調整具４０の支持板４２として使用するものである。
【００４１】
コネクタ６０は、ソケット５０及び隣接する連続用のソケット５０に電源を供給する部材で、ライティングケース１０の内部に沿って連設される。マウントベース７０は、これらのソケット５０及びコネクタ６０を装着する部材で、ソケットベース７１とコネクタベース７２とで構成されている（図１０参照）。図示例では、帯状の金属板が側面略コ字状に屈曲された形状を成している。そして、反射板２０側にソケットベース７１を配し、このソケットベース７１にソケット５０を装着する（図１参照）。このとき、クリップ体３０は、反射板２１上面のソケットベース７１を支持板４２として設け、このソケットベース７１上にクリップ体３０を配置するようにしている（図１０参照）。更に、ライティングケース１０側にコネクタベース７２を配し、コネクタ６０を着脱自在に装着している。
【００４２】
また、このマウントベース７０は、ソケット５０及びコネクタ６０等の部材を、間隙を空けて上下に装着することにより、直管形ランプＲとして直管形蛍光ランプは勿論、直管形ＬＥＤランプを連結することも可能になる。すなわち、直管形ＬＥＤランプのタイプ別により、ＬＥＤドライバを使用するものと使用しないタイプがある。また、同じタイプでも、両側給電方式や片側給電方式などがある。いずれのタイプや給電方式の直管形ＬＥＤランプが選択されたとしても、ソケットベース７１とコネクタベース７２とで構成されたマウントベース７０を利用することで容易に接続することができるものである。
【産業上の利用可能性】
【００４３】
本発明照明装置は、主に直管形ランプを複数連設する際に効果的であると説明しているが、直管形ランプを単独で使用する場合にも利用することが可能であり、吊り金具で懸吊するタイプの照明器具や、他の機器等にも利用することができる。また、本発明のライティングケース１０、反射板２０、クリップ体３０、高さ調整具４０等の形状や寸法、並びに吊り金具Ｐの構造などは図示例に限定されるものではなく、本発明の要旨を変更しない範囲での設計変更は自由である。
【符号の説明】
【００４４】
Ｐ  吊り金具
Ｐ１  抱持片
Ｐ２  係止部
Ｐ３  保持爪部
Ｑ  吊りボルト
Ｒ  直管形ランプ
１０  ライティングケース
１１  屈曲片
２０  反射板
２１  表示部
２１Ａ  ロックキー
２１Ｂ  アンロックキー
２３  弾性板
３０  クリップ体
３１  回転ボルト
３１Ａ  頭部
３１Ｂ  スリ割り
３２  係止部
３３  嵌入穴
３４  基盤
４０  高さ調整具
４１  圧着板
４２  支持板
４３  突起
４４  固定ナット
５０  ソケット
６０  コネクタ
７０  マウントベース
７１  ソケットベース
７２  コネクタベース
【図１】
0005314780.tif 000002
【図２】
0005314780.tif 000003
【図３】
0005314780.tif 000004
【図４】
0005314780.tif 000005
【図５】
0005314780.tif 000006
【図６】
0005314780.tif 000007
【図７】
0005314780.tif 000008
【図８】
0005314780.tif 000009
【図９】
0005314780.tif 000010
【図１０】
0005314780.tif 000011